【手続補正書】
【提出日】平成19年5月14日(2007.5.14)
【手続補正１】
【補正対象書類名】特許請求の範囲
【補正対象項目名】全文
【補正方法】変更
【補正の内容】
【特許請求の範囲】
【請求項１】
香料を保有しかつ前記香料を射出することにより香りを発生する香り発生手段と、香りに対応した香料を選択するための香り変換テーブルを生成する香り変換テーブル生成手段とに接続された香り情報処理装置であって、
前記香り発生手段が保有する前記香料の情報を香り発生装置情報として取得する香り発生装置情報取得手段と、
前記香り発生手段で発生すべき香りの情報と、前記香り発生装置情報とを香り変換テーブル生成手段に与え、前記香り変換テーブル生成手段から香り変換テーブルを取得する香り変換テーブル取得手段と、
前記香り発生手段によって発生すべき香りを、前記香り変換テーブルを参照することによって、前記香り発生手段が保有する香料の情報に変換し、かつ前記香り発生手段を制御して香りを発生させる香り発生装置制御手段と、
を備えた香り情報処理装置。
【請求項２】
香料を保有しかつ前記香料を射出することにより香りを発生する香り発生手段に接続された香り情報処理装置であって、
前記香り発生手段が保有する前記香料の情報を香り発生装置情報として取得する香り発生装置情報取得手段と、
前記香り発生手段で発生すべき香りの情報と前記香り発生装置情報とに基づいて、香りに対応した香料を選択するための香り変換テーブルを生成する香り変換テーブル生成手段と、
前記香り発生手段によって発生すべき香りを、前記香り変換テーブルを参照することによって、香り発生手段が保有する香料の情報に変換し、かつ前記香り発生手段を制御して香りを発生させる香り発生装置制御手段と、
を備えた香り情報処理装置。
【請求項３】
前記香り発生手段で発生すべき香りの情報が、物体由来の「物質香」と、香りをキーワードで間接的に表現する「感性香」とを含むことを特徴とする請求項１または２記載の香り情報処理装置。
【請求項４】
感性香は、対象物を連想させる効果香と、雰囲気を提供する背景香と、気分と対応する情緒香に分類され、効果香は香料に対応する名詞的キーワードの階層によって定義され、背景香は香料に対する形容詞的キーワードのポイントによって定義され、情緒香は香料に対する自動詞的キーワードのポイントによって定義され、
前記香り変換テーブル生成手段は、効果香について、前記香り発生手段が保有する香料をより上位に名詞的キーワードから選択し、背景香については、前記香り発生手段が保有する香料のうち形容詞的キーワードのポイントが高い香料を選択し、情緒香については、前記香り発生手段が保有する香料のうち自動詞的キーワードのポイントが高い香料を選択することを特徴とする請求項３記載の香り情報処理装置。
【請求項５】
香料を保有しかつ前記香料を射出することにより香りを発生する香り発生装置と、
香りに対応した香料を選択するための香り変換テーブルを生成する香り問合せサーバと、
前記香り発生装置によって発生すべき香りの情報に基づいて前記香り発生装置を制御する香り情報処理装置と、
を接続した香り情報処理システムであって、
前記香り情報処理装置は、
前記香り発生手段が保有する前記香料の情報を香り発生装置情報として取得する香り発生装置情報取得手段と、
前記香り発生手段で発生すべき香りの情報と、前記香り発生装置情報とを香り問合せサーバに与え、前記香り問合せサーバから香り変換テーブルを取得する香り変換テーブル取得手段と、
前記香り発生装置によって発生すべき香りを、前記香り変換テーブルを参照することによって、香り発生装置が保有する香料の情報に変換し、かつ前記香り発生装置を制御して香りを発生させる香り発生装置制御手段と、
を備える、
香り情報処理システム。
【請求項６】
前記香り発生装置で発生すべき香りの情報が、物体由来の「物質香」と、香りをキーワードで間接的に表現する「感性香」とを含むことを特徴とする請求項５記載の香り情報処理システム。
【請求項７】
感性香は、対象物を連想させる効果香と、雰囲気を提供する背景香と、気分と対応する情緒香に分類され、効果香は香料に対応する名詞的キーワードの階層によって定義され、背景香は香料に対する形容詞的キーワードのポイントによって定義され、情緒香は香料に対する自動詞的キーワードのポイントによって定義され、
前記香り問合せサーバは、効果香について、前記香り発生手段が保有する香料をより上位に名詞的キーワードから選択し、背景香については、前記香り発生手段が保有する香料のうち形容詞的キーワードのポイントが高い香料を選択し、情緒香については、前記香り発生手段が保有する香料のうち自動詞的キーワードのポイントが高い香料を選択することを特徴とする請求項６記載の香り情報処理システム。
【請求項８】
前記香り情報処理装置には、コンテンツに含まれる香りの情報が提供され、前記香り情報処理装置は該香りの情報を前記香り発生手段で発生すべき香りの情報として処理することを特徴とする請求項５ないし７記載の香り情報処理システム。
【請求項９】
前記コンテンツはＷＥＢサーバから提供されるコンテンツであることを特徴とする請求項８記載の香り情報処理システム。
【請求項１０】
前記コンテンツは放送システムから提供されるコンテンツであることを特徴とする請求項８記載の香り情報処理システム。
【請求項１１】
前記コンテンツはメディア再生システムによって提供されるコンテンツであることを特徴とする請求項８記載の香り情報処理システム。
【請求項１２】
香りに対応した香料を選択するための香り変換テーブルを生成する香り問合せサーバと、
前記香り問合せサーバに接続され、香り発生装置によって発生すべき香りの情報に基づいて前記香り発生装置を制御する香り情報処理装置と、
を接続した香り変換テーブル提供システムであって、
前記香り問合せサーバは、前記香り情報処理装置から、前記香り発生装置が保有する香料の情報と、前記香り発生装置で発生すべき香りの情報とを受信したときに、前記香り発生装置が保有する香料の情報と、前記香り発生手段で発生すべき香りの情報に基いて前記香り変換テーブルを生成し、前記香り情報処理装置に送信する、
香り変換テーブル提供システム。
【請求項１３】
前記香り発生装置で発生すべき香りの情報が、物体由来の「物質香」と、香りをキーワードで間接的に表現する「感性香」とを含むことを特徴とする請求項１２記載の香り変換テーブル提供システム。
【請求項１４】
香り発生装置によって発生すべき香りの情報と、前記香り発生装置が保有する香料の情報とを入力するステップと、
香りの情報と香料との対応関係を参照して、前記発生すべき香りの情報に対応づけられた香料が前記保有する香料に含まれていれば、該香料を選択する第１の選択ステップと、
香りの情報に対する各香料のポイントを参照して、前記保有する香料の中から前記発生すべき香りの情報に対するポイントの最も高い香料を選択する第２の選択ステップと、
前記発生すべき香りの情報と前記第１または第２の選択ステップにより選択された香料とを対応付けた変換テーブルを生成するステップと、
を備えた香り変換テーブル生成方法。
【請求項１５】
前記発生すべき香りの情報に対応づけられた香料が前記保有する香料に含まれていなければ、香りの情報に対する階層構造を参照して、前記保有する香料の中に前記発生すべき香りの情報より下位の香りの情報に対応づけられた香料があれば、その中で最も上位の香料を選択する第３の選択ステップを備えた請求項１４記載の香り変換テーブル生成方法。
【請求項１６】
前記対応関係は、物体由来の「物質香」と香料との対応関係であり、前記ポイントが香りを間接的に表現する「感性香」に対して定義されている請求項１４記載の香り変換テーブル生成方法。
【手続補正２】
【補正対象書類名】明細書
【補正対象項目名】００１３
【補正方法】変更
【補正の内容】
【００１３】
本発明に係る香り変換テーブル生成方法は、香り発生装置によって発生すべき香りの情報と、前記香り発生装置が保有する香料の情報とを入力するステップと、香りの情報と香料との対応関係を参照して、前記発生すべき香りの情報に対応づけられた香料が前記保有する香料に含まれていれば、該香料を選択する第１の選択ステップと、香りの情報に対する各香料のポイントを参照して、前記保有する香料の中から前記発生すべき香りの情報に対するポイントの最も高い香料を選択する第２の選択ステップと、前記発生すべき香りの情報と前記第１または第２の選択ステップにより選択された香料とを対応付けた変換テーブルを生成するステップと、を備える。これによって、香り情報処理装置における香りの選択肢を拡大し得る。